【事件の表示】
　特願２００６−　９５５３１「タイムスイッチ」拒絶査定不服審判事件〔平成１９年１０月１８日出願公開、特開２００７−２７４１８５〕について、次のとおり審決する。
【結　論】
　本件審判の請求は、成り立たない。
【理　由】
第１　手続の経緯
　本願は、平成１８年３月３０日の出願であって、平成２２年９月１０日付けで拒絶理由が通知され、同年１１月１５日付けで手続補正されたが、同年１２月２日付けで拒絶査定がなされ、これに対し、平成２３年３月７日に拒絶査定不服の審判が請求されたものである。
　
第２　本願発明
　特許請求の範囲の請求項１に係る発明（以下、「本願発明」という。）は、平成２２年１１月１５日付けで手続補正された明細書、特許請求の範囲及び図面の記載からみて、その特許請求の範囲の請求項１に記載された以下のとおりのものと認める。
　
　「それぞれアドレスを付された少なくとも１個の負荷が接続された少なくとも１個の負荷側端末器と、それぞれアドレスを有して所定の条件でトリガを生成する少なくとも１個のトリガ手段を有しいずれかのトリガ手段がトリガを生成したときに該トリガ手段に応じた操作信号を出力する少なくとも１個の制御側端末器と、各負荷側端末器と各制御側端末器とにそれぞれ接続され、いずれかの制御側端末器から操作信号を入力されたときに、トリガを生成したトリガ手段に予め対応付けられた負荷が接続された負荷側端末器に対し、該負荷の制御を指示する制御信号を出力する伝送制御装置とを備え、負荷側端末器は伝送制御装置から入力された制御信号に応じて負荷を制御する遠隔監視制御システムに用いられるタイムスイッチであって、
　操作入力に応じてトリガを生成する負荷操作用トリガ手段を少なくとも１個有する負荷操作部と、
　それぞれ制御時刻と制御アドレスとを含む制御プログラムが少なくとも１個格納されたプログラム記憶部と、
　時刻を計時する計時手段と、
　負荷操作用トリガ手段がトリガを生成したときに操作信号を生成するとともに、計時手段によって計時された時刻がいずれかの制御プログラムの制御時刻となったときに該制御プログラムに設定された制御アドレスを有するトリガ手段がトリガを生成したときと同様の操作信号を生成する制御部と、制御部によって制御され制御部が生成した操作信号を伝送制御装置に出力する送信部と、
　制御プログラムの内容を入力する操作入力を受け付けるプログラム入力手段を有する設定入力部と、
　負荷操作部と設定入力部と送信部とをそれぞれ保持し負荷操作部において操作されるハンドルと設定入力部において操作されるハンドルとをそれぞれ前面に露出させ後面を造営面に向けて造営面に固定されるハウジングと、
　少なくとも設定入力部のハンドルを覆う閉位置と、閉位置における上端部を下端部に対して造営面に向かって右方から見て反時計回りに回動させて設定入力部のハンドルを露出させる開位置との間で、ハウジングに対して回動自在に取り付けられた扉体とを備え、
　扉体において閉位置で設定入力部のハンドルに向けられる内面には、設定入力部の操作方法の説明が表示されていて、
　閉位置から開位置に向かう方向の扉体の回動を、扉の内面が下方に向かって前方へ傾斜する位置までに制限する制限手段が、扉体とハウジングとの少なくとも一方に設けられていて、
　ハウジングは、設定入力部の前面を構成する設定入力側化粧カバーを有し、この設定入力側化粧カバーの前面には銘板が貼着されていて、
　扉体の左右の端面は設定入力側化粧カバーの左右の端面と略面一になり、扉体が閉位置にある状態では、扉体の前面は上記の銘板の前面に略面一となることを特徴とするタイムスイッチ。」
　
第３　引用発明
Ａ　原審の拒絶理由に引用された特開２００３−１１１１５４号公報（以下、「引用例１」という。）には、図面とともに以下の事項が記載されている。
　
イ．「【０００１】
【発明の属する技術分野】本発明は、時分割多重伝送方式により伝送信号を信号線に伝送し、この伝送信号を用いて監視入力に応じた負荷制御を可能とした遠隔監視制御システムに用いられ、週間及び年間における負荷制御の設定時刻や制御内容等のプログラムにしたがって負荷を制御する遠隔監視制御システムのプログラムタイマユニットに関するものである。
【０００２】
【従来の技術】従来から、図１９に示す構成の遠隔監視制御システムが知られている。この遠隔監視制御システムでは、伝送ユニット３０に接続された２線式の信号線Ｌｓに複数台ずつの操作端末器３１および制御端末器３２が接続される。図示例では操作端末器３１として、個別スイッチ３１ａ、パターンスイッチ３１ｂが設けられる。各操作端末器３１および各制御端末器３２にはそれぞれアドレスが設定されており、伝送ユニット３０はアドレスを用いて操作端末器３１および制御端末器３２を識別する。個別スイッチ３１ａとパターンスイッチ３１ｂとはそれぞれ監視入力を発生させるスイッチＳａ，Ｓｂを備え、制御端末器３２は負荷（図示例では照明負荷Ｌ）を制御するリレーを内蔵する。また、操作端末器３１には照明負荷Ｌの動作状態を確認するための発光ダイオードよりなる確認灯（図示せず）が設けられている。ここに、リレーには一般にラッチング型のものが用いられ、制御端末器３２がリレーを動作させる際にはリレーにパルス的に電源を供給する。制御端末器３２はリレーを外部に持つ形式のものもあり、この場合には別途に設けたトランスからリレーにパルス的に給電する。
【０００３】伝送ユニット３０は信号線Ｌｓに対して、図２０（ａ）に示すフォーマットの伝送信号Ｖｓを送出する。伝送信号Ｖｓは、信号送出開始を示す同期信号ＳＹ、伝送信号Ｖｓのモードを示すモードデータＭＤ、操作端末器３１や制御端末器３２を各別に呼び出すためのアドレスデータＡＤ、照明負荷Ｌを制御する制御データＣＤ、伝送誤りを検出するためのチェックサムデータＣＳ、操作端末器３１や制御端末器３２からの返送信号（監視データ）を受信するタイムスロットである信号返送期間ＷＴよりなる双極性（±２４Ｖ）の時分割多重信号であり、パルス幅変調によってデータが伝送される（図２０（ｂ））。各操作端末器３１および各制御端末器３２では、信号線Ｌｓを介して受信した伝送信号Ｖｓにより伝送されたアドレスデータＡＤが、各操作端末器３１あるいは各制御端末器３２においてあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓの線間を開放した状態と低インピーダンスを挿入した状態とで表される電流変化による２値信号）で返送する。」（３頁４欄〜４頁５欄）
　
ロ．「【０００７】上述の動作を簡単にまとめる。まず、操作端末器３１においてスイッチＳａ，Ｓｂの操作に伴う監視入力が発生すると、操作端末器３１から監視入力に対応した監視データを伝送ユニット３０に返送し、伝送ユニット３０が制御端末器３２に制御データＣＤを伝送すると、制御端末器３２は負荷制御信号を出力して照明負荷Ｌを制御する。ここで、制御端末器３２には負荷監視入力が与えられ、負荷監視入力に対応する監視データを伝送ユニット３０に返送し、返送された監視データを操作端末器３１に伝送する。この伝送信号によって操作端末器３１では監視信号を出力する。監視出力は通常は確認灯の点灯・消灯に用いられる。
【０００８】ところで、各操作端末器３１において最大４回路の監視入力を受け付けることを可能とし（個別スイッチ３１ａには最大４個のスイッチＳａを設けることができる）、また各制御端末器３２において最大４回路の照明負荷Ｌを接続することを可能とするために、伝送信号ＶｓのアドレスデータＡＤにはアドレスを拡張する２ビットの負荷番号が設けられている。つまり、各操作端末器３１および各制御端末器３２には最大４個ずつのアドレスが設定可能になっている。各操作端末器３１および各制御端末器３２に設定される４個のアドレスのうち負荷番号を除く部分は端末器の種別（操作端末器３１か制御端末器３２かなどの種別）を表す部分とチャンネル（対応関係を持つ操作端末器３１と制御端末器３２とは同一チャンネルが設定される）を表す部分とから構成される。言い換えると、各スイッチＳａ，Ｓｂおよび各照明負荷Ｌにはそれぞれ個別のアドレスが付与されていることになる。また、互いに一対一に対応する個別スイッチ３１ａと制御端末器３２とを同チャンネルに設定することで対応関係がわかりやすくなっている。なお、以下の説明では個別スイッチ３１ａで各照明負荷Ｌを個別に制御することを個別制御と呼ぶことにする。
【０００９】ところで、この種の遠隔監視制御システムでは、パターンスイッチ３１ｂのスイッチＳｂと照明負荷Ｌとのアドレスの対応関係を伝送ユニット３０で管理しているから、伝送ユニット３０において１回路のスイッチＳｂのアドレスに複数回路の照明負荷Ｌのアドレスを関係データとして対応付けておけば、１回路のスイッチＳｂで複数回路の照明負荷Ｌを一括して制御することが可能である。このような一括制御にはグループ制御とパターン制御とがある。グループ制御では複数の負荷を同じ制御状態に制御し、パターン制御では複数の負荷をあらかじめ個々に設定した制御状態に制御する。グループ制御やパターン制御は、照明負荷Ｌを制御するときにとくに有効であって、オフィス空間のように多数の照明負荷が配列されているような場所で、複数の照明負荷を一斉に点灯・消灯させる際にグループ制御やパターン制御を利用することができる。図示例ではスイッチＳｂを備えたパターンスイッチ３１ｂを示しているが、グループ制御用の端末器であるグループスイッチは示していない。ただし、パターン制御やグループ制御では、一括制御用に定められている操作用アドレスを用いる点を除けば他の操作端末器と同様である。」（４頁６欄〜５頁７欄）
　
ハ．「【００４４】（実施形態１）図１に本実施形態のブロック図を示す。本実施形態は、負荷の制御時刻及び制御内容を含むデータを入力する入力手段たる操作スイッチ部１と、操作スイッチ部１で入力されるデータに基づいて負荷の制御プログラムを作成するプログラム作成手段たるマイクロコンピュータ（以下、「マイコン」と略す）２と、作成された制御プログラムを記憶する記憶手段たるメモリ３と、現在時刻を計時する計時手段たるリアルタイムクロック４と、信号線Ｌｓを介して伝送ユニット３０との間で伝送信号Ｖｓを送受信する伝送信号送受信手段たる伝送信号送受信回路５と、リモコントランス３７より供給される２４Ｖの交流電圧からマイコン２を含む各部の動作電源を作成する電源回路６と、停電等により電源回路６からの電源供給が停止した場合にリアルタイムクロック４に動作電源を供給するバックアップ回路部７と、少なくとも操作スイッチ部１で入力可能なデータの項目、並びにリアルタイムクロック４で計時する現在時刻を表示する液晶表示部８と、マイコン２に制御されて液晶表示部８を駆動する液晶ドライバ９と、液晶表示部８を背面側から照明するバックライト部１０と、リアルタイムクロック４による現在時刻の計時を外部で計時する時刻に同期させるための同期信号が入力される同期信号入力部１１と、同期信号入力部１１に入力する同期信号を外部に出力する同期信号出力部１２とを備え、タイマ制御手段たるマイコン２が、リアルタイムクロック４から出力される現在時刻データとメモリ３から読み出した制御プログラムに基づいて監視データを逐次発生するとともに発生した監視データを伝送信号送受信回路５により信号線Ｌｓに送出させるものである。
【００４５】操作スイッチ部１は押操作の復帰力としてゴムの弾性を利用したいわゆるラバースイッチを用いたキーマトリクスよりなる。このキーマトリクスには、図２に示すように、それぞれ押操作されるモードキーＫ１、クリアキーＫ２、設定キーＫ３、アップキーＫ４、ダウンキーＫ５、戻りキーＫ６、特日１動作キーＫ７、特日２動作キーＫ８、タイマ切キーＫ９、サマータイム設定キーＫ１０、バックライトキーＫ１１が設けられており、押操作された場合に各キーＫ１〜Ｋ１１に対応するマイコン２の入力ポートに信号が入力される。」（８頁１４欄〜９頁１５欄）
　
ニ．「【００５４】図２〜図５は本実施形態の外観図を示している。上述した回路部を構成するマイコン２等の電子部品がプリント回路基板に実装されて合成樹脂成型品からなる器体２０の内部に納装される。器体２０は略直方体状であって、前面略中央部に液晶表示部８並びに操作スイッチ部１が収納される突台２１が突設され、突台２１の前面から液晶表示部８の画面８ａが露出するとともに操作スイッチ部１のキーマトリクスが露設されている。また、器体２０の両端部には押締ねじ式の端子部が設けられており、この端子部により信号線端子Ｔ１，Ｔ１、電源端子Ｔ２，Ｔ２、同期信号入力端子Ｔ３，Ｔ３並びに同期信号出力端子Ｔ４，Ｔ４が構成されている。この器体２０は、図３及び図５に示すように背面並びに側面に設けられる取付孔２２に取付板（図示せず）の取付爪を係止することで既成の分電盤等に容易に配設することができる。また、器体２０の前面に突設した突台２１前面に操作スイッチ部１及び液晶表示部８の画面８ａが露出しているので、器体２０を分電盤に配設した場合に分電盤の扉の内側に配設される保護板の切り欠き窓を通して突台２１の前面を露出させることができ、保護板を開かずに操作スイッチ部１を操作したり、液晶表示部８の画面８ａの表示を視認することができて使い勝手がよいものである。」（１０頁１７欄）
　
ホ．「【００６３】次に、モードキーＫ１を押操作してプログラム作成モードを選択すると、液晶表示部８の画面８ａでは「プログラム」の文字に対応するマーカＭが反転表示されるとともに、プログラム番号を意味する「ＰＲＧ番号」の文字と、その表示の下部のプログラム番号表示領域Ｒ２にプログラム番号とが反転表示される。本実施形態では３０通りの制御プログラムをメモリ３に記憶することができるようになっているから、プログラム番号表示領域Ｒ２には１〜３０の数字が反転表示可能である。プログラム作成モードの選択直後にはプログラム番号の設定モードとなっており、アップキーＫ４又はダウンキーＫ５が押操作される毎にプログラム番号表示領域Ｒ２に反転表示される数字が１ずつ増減する。そして、作成しようとするプログラム番号をプログラム番号表示領域Ｒ２に反転表示させた状態で設定キーＫ３を押操作すれば、負荷の制御種別を選択するモードに移行し、「ＰＲＧ番号」の代わりに「種別」の文字が反転表示される（図９参照）。そして、アップキーＫ４及びダウンキーＫ５を押操作することにより、「個別」、「グループ」、「パターン」、「調光」の中から負荷の制御種別を順次選択することができる。」（１１頁２０欄）
　
ヘ．「【００８６】而して、マイコン２はリアルタイムクロック４の計時時刻（現在時刻）がメモリ３から読み出した制御プログラムにおいて設定される時刻（入時刻や切時刻、日の入り時刻や日の出時刻等）に一致したときに逐次監視データ（例えば、制御対象の照明負荷Ｌを個別制御する個別スイッチＳａと同じチャンネル番号及び負荷番号）を発生し、その監視データを伝送信号送受信回路５より信号線Ｌｓに送出して伝送ユニット３０に伝送することで照明負荷Ｌのタイマ制御を行っている。
【００８７】次に、図１０に示すようなシステム構成でオフィスに設置される照明負荷Ｌを制御する場合を例示して、本実施形態のプログラムタイマユニットＡの動作を説明する。図１１は制御プログラムの一例を示しており、プログラム番号１の制御プログラムでは、８時３０分に照明負荷Ｌを調光比５０％（全点灯時の照明負荷Ｌへの出力を１００％としたときの比率）で調光するパターン番号２のパターンＰ２を月曜日から金曜日並びに特日２に実行し、プログラム番号２の制御プログラムでは、９時００分に照明負荷Ｌを全点灯するパターン番号１のパターンＰ１を月曜日から金曜日並びに特日２に実行し、プログラム番号３の制御プログラムでは、開始時刻１２時００分から終了時刻１２時３０分の間に間隔時間３０分で照明負荷Ｌを調光比３０％で調光するパターン番号３のパターンＰ３を月曜日から金曜日に実行し、プログラム番号４の制御プログラムでは、１３時００分にパターン番号１のパターンＰ１を月曜日から金曜日に実行し、プログラム番号５の制御プログラムでは、開始時刻１８時００分から終了時刻１９時００分の間に間隔時間１時間でパターン番号２のパターンＰ２を月曜日から金曜日に実行し、プログラム番号６の制御プログラムでは、開始時刻２０時００分から終了時刻２４時００分の間に間隔時間１時間で照明負荷Ｌを消灯するパターン番号４のパターンＰ４を月曜日から金曜日に実行する。さらに、プログラム番号の制御プログラムでは、開始時刻７時００分から終了時刻２４時００分の間に間隔時間１時間でパターン番号４のパターンＰ４を土曜日、日曜日並びに特日１に実行し、プログラム番号８の制御プログラムでは、開始時刻１２時００分から終了時刻２４時００分の間に間隔時間１時間でパターン番号４のパターンＰ４を特日２に実行する。なお、上述の各制御プログラムを作成する前に、例えば従来例で説明したように予めパターン設定器等を用いて各パターン番号に対応した各照明負荷Ｌの制御状態を設定して関係データを作成し、この関係データを伝送ユニット３０に転送しておく。」（１５頁２８欄〜１６頁２９欄）
　
　上記引用例１の記載及び図面ならびにこの分野における技術常識を考慮すると、上記摘記事項イ．の【０００１】の記載、【０００２】における「この遠隔監視制御システムでは、伝送ユニット３０に接続された２線式の信号線Ｌｓに複数台ずつの操作端末器３１および制御端末器３２が接続される。・・・（中略）・・・制御端末器３２は負荷（図示例では照明負荷Ｌ）を制御するリレーを内蔵する。」との記載、及び図１９によれば、遠隔監視制御システムは、負荷が接続された複数の制御端末器（３２）を備えている。また、遠隔監視制御システムは、複数の操作端末器（３１）を備えている。
　また、上記摘記事項ロ．の【０００８】における「各操作端末器３１において最大４回路の監視入力を受け付けることを可能とし（個別スイッチ３１ａには最大４個のスイッチＳａを設けることができる）、また各制御端末器３２において最大４回路の照明負荷Ｌを接続することを可能とするために、伝送信号ＶｓのアドレスデータＡＤにはアドレスを拡張する２ビットの負荷番号が設けられている。つまり、各操作端末器３１および各制御端末器３２には最大４個ずつのアドレスが設定可能になっている。・・・（中略）・・・各スイッチＳａ，Ｓｂおよび各照明負荷Ｌにはそれぞれ個別のアドレスが付与されていることになる。」との記載、及び図１９によれば、操作端末器（３１）は、アドレスを有したスイッチ（Ｓａ，Ｓｂ）を有している。また、負荷は、アドレスが付されている。また、操作端末器（３１）は、スイッチ（Ｓａ，Ｓｂ）に応じた操作信号を出力することは自明である。
　また、上記摘記事項イ．の【０００２】における「この遠隔監視制御システムでは、伝送ユニット３０に接続された２線式の信号線Ｌｓに複数台ずつの操作端末器３１および制御端末器３２が接続される。」との記載、イ．の【０００３】における「伝送ユニット３０は信号線Ｌｓに対して、図２０（ａ）に示すフォーマットの伝送信号Ｖｓを送出する。伝送信号Ｖｓは、信号送出開始を示す同期信号ＳＹ、伝送信号Ｖｓのモードを示すモードデータＭＤ、操作端末器３１や制御端末器３２を各別に呼び出すためのアドレスデータＡＤ、照明負荷Ｌを制御する制御データＣＤ、伝送誤りを検出するためのチェックサムデータＣＳ、操作端末器３１や制御端末器３２からの返送信号（監視データ）を受信するタイムスロットである信号返送期間ＷＴよりなる双極性（±２４Ｖ）の時分割多重信号であり、パルス幅変調によってデータが伝送される（図２０（ｂ））。」との記載、図１９及び図２０によれば、遠隔監視制御システムは、制御端末器（３２）と操作端末器（３１）とにそれぞれ接続された伝送ユニット（３０）を備えている。また、伝送ユニット（３０）は、操作端末器（３１）から操作信号を入力されたときに、負荷が接続された制御端末器（３２）に対し、負荷の制御を指示する制御データ（ＣＤ）を出力していることが読み取れる。
　また、上記摘記事項ロ．の【０００９】における「この種の遠隔監視制御システムでは、パターンスイッチ３１ｂのスイッチＳｂと照明負荷Ｌとのアドレスの対応関係を伝送ユニット３０で管理しているから、伝送ユニット３０において１回路のスイッチＳｂのアドレスに複数回路の照明負荷Ｌのアドレスを関係データとして対応付けておけば、１回路のスイッチＳｂで複数回路の照明負荷Ｌを一括して制御することが可能である。」との記載、及び図１９によれば、負荷は、スイッチ（Ｓｂ）に予め対応付けられている。
　また、上記摘記事項ロ．の【０００７】における「伝送ユニット３０が制御端末器３２に制御データＣＤを伝送すると、制御端末器３２は負荷制御信号を出力して照明負荷Ｌを制御する。」との記載、及び図１９によれば、遠隔監視制御システムは、制御端末器（３２）が、伝送ユニット（３０）から入力された制御データ（ＣＤ）に応じて負荷を制御するものである。
　また、上記摘記事項イ．の【０００１】の記載によれば、プログラムタイマユニットは、遠隔監視制御システムに用いられるものである。
　ここで、小括すると、プログラムタイマユニットは、アドレスを付された負荷が接続された複数の制御端末器（３２）と、アドレスを有したスイッチ（Ｓａ，Ｓｂ）を有し該スイッチ（Ｓａ，Ｓｂ）に応じた操作信号を出力する複数の操作端末器（３１）と、各制御端末器（３２）と各操作端末器（３１）とにそれぞれ接続され、操作端末器（３１）から操作信号を入力されたときに、スイッチ（Ｓｂ）に予め対応付けられた負荷が接続された制御端末器（３２）に対し、該負荷の制御を指示する制御データ（ＣＤ）を出力する伝送ユニット（３０）とを備え、制御端末器（３２）は、伝送ユニット（３０）から入力された制御データ（ＣＤ）に応じて負荷を制御する遠隔監視制御システムに用いられるものである。
　また、上記摘記事項ハ．の【００４４】における「負荷の制御時刻及び制御内容を含むデータを入力する入力手段たる操作スイッチ部１と、操作スイッチ部１で入力されるデータに基づいて負荷の制御プログラムを作成するプログラム作成手段たるマイクロコンピュータ（以下、「マイコン」と略す）２と、作成された制御プログラムを記憶する記憶手段たるメモリ３と、現在時刻を計時する計時手段たるリアルタイムクロック４」との記載、ヘ．の【００８７】における「図１１は制御プログラムの一例を示しており、プログラム番号１の制御プログラムでは、８時３０分に照明負荷Ｌを調光比５０％（全点灯時の照明負荷Ｌへの出力を１００％としたときの比率）で調光するパターン番号２のパターンＰ２を月曜日から金曜日並びに特日２に実行し・・・（後略）・・・」との記載、図１及び図１１によれば、プログラムタイマユニットは、それぞれ制御時刻と制御アドレスとを含む制御プログラムが複数格納されたメモリ（３）を備えている。また、プログラムタイマユニットは、時刻を計時するリアルタイムクロック（４）を備えている。
　また、上記摘記事項ヘ．の【００８６】における「マイコン２はリアルタイムクロック４の計時時刻（現在時刻）がメモリ３から読み出した制御プログラムにおいて設定される時刻（入時刻や切時刻、日の入り時刻や日の出時刻等）に一致したときに逐次監視データ（例えば、制御対象の照明負荷Ｌを個別制御する個別スイッチＳａと同じチャンネル番号及び負荷番号）を発生し、その監視データを伝送信号送受信回路５より信号線Ｌｓに送出して伝送ユニット３０に伝送することで照明負荷Ｌのタイマ制御を行っている。」との記載、及び図１によれば、プログラムタイマユニットは、リアルタイムクロック（４）によって計時された時刻がいずれかの制御プログラムの制御時刻となったときに制御プログラムに設定された制御アドレスを有する監視データを生成するマイコン（２）と、マイコン（２）によって制御されマイコン（２）が生成した監視データを伝送ユニット（３０）に出力する伝送信号送受信回路（５）を備えていることが読み取れる。
　また、上記摘記事項ハ．の【００４５】における「操作スイッチ部１は押操作の復帰力としてゴムの弾性を利用したいわゆるラバースイッチを用いたキーマトリクスよりなる。このキーマトリクスには、図２に示すように、それぞれ押操作されるモードキーＫ１、クリアキーＫ２、設定キーＫ３、・・・（中略）・・・押操作された場合に各キーＫ１〜Ｋ１１に対応するマイコン２の入力ポートに信号が入力される。」との記載、ホ．の【００６３】における「モードキーＫ１を押操作してプログラム作成モードを選択すると、液晶表示部８の画面８ａでは「プログラム」の文字に対応するマーカＭが反転表示されるとともに、プログラム番号を意味する「ＰＲＧ番号」の文字と、その表示の下部のプログラム番号表示領域Ｒ２にプログラム番号とが反転表示される。本実施形態では３０通りの制御プログラムをメモリ３に記憶することができるようになっているから、プログラム番号表示領域Ｒ２には１〜３０の数字が反転表示可能である。」との記載、図１及び図２によれば、プログラムタイマユニットは、操作スイッチ部（１）を備えている。また、操作スイッチ部（１）は、制御プログラムの内容を入力する操作入力を受け付けるプログラム入力手段を有することは明らかである。
　また、上記摘記事項ニ．の【００５４】における「図２〜図５は本実施形態の外観図を示している。上述した回路部を構成するマイコン２等の電子部品がプリント回路基板に実装されて合成樹脂成型品からなる器体２０の内部に納装される。器体２０は略直方体状であって、前面略中央部に液晶表示部８並びに操作スイッチ部１が収納される突台２１が突設され、突台２１の前面から液晶表示部８の画面８ａが露出するとともに操作スイッチ部１のキーマトリクスが露設されている。・・・（中略）・・・この器体２０は、図３及び図５に示すように背面並びに側面に設けられる取付孔２２に取付板（図示せず）の取付爪を係止することで既成の分電盤等に容易に配設することができる。また、器体２０の前面に突設した突台２１前面に操作スイッチ部１及び液晶表示部８の画面８ａが露出しているので、器体２０を分電盤に配設した場合に分電盤の扉の内側に配設される保護板の切り欠き窓を通して突台２１の前面を露出させることができ、保護板を開かずに操作スイッチ部１を操作したり、液晶表示部８の画面８ａの表示を視認することができて使い勝手がよいものである。」との記載、図２乃至図５によれば、プログラムタイマユニットは、操作スイッチ部（１）を保持する器体（２０）を備えている。また、プログラムタイマユニットが、造営面に取り付けられる場合の技術常識を考慮すれば、器体（２０）は、操作スイッチ部（１）において操作されるキーマトリクスを前面に露出させ後面を造営面に向けて造営面に固定されることは明らかである。また、器体（２０）は、電子部品の一部である伝送信号送受信回路（５）を保持することは自明である。
　
　したがって、引用例１には以下の発明（以下、「引用発明１」という。）が記載されている。
　
　「アドレスを付された負荷が接続された複数の制御端末器（３２）と、アドレスを有したスイッチ（Ｓａ，Ｓｂ）を有し該スイッチ（Ｓａ，Ｓｂ）に応じた操作信号を出力する複数の操作端末器（３１）と、各制御端末器（３２）と各操作端末器（３１）とにそれぞれ接続され、操作端末器（３１）から操作信号を入力されたときに、スイッチ（Ｓａ，Ｓｂ）に予め対応付けられた負荷が接続された制御端末器（３２）に対し、該負荷の制御を指示する制御データ（ＣＤ）を出力する伝送ユニット（３０）とを備え、制御端末器（３２）は、伝送ユニット（３０）から入力された制御データ（ＣＤ）に応じて負荷を制御する遠隔監視制御システムに用いられるプログラムタイマユニットであって、
　それぞれ制御時刻と制御アドレスとを含む制御プログラムが複数格納されたメモリ（３）と、
　時刻を計時するリアルタイムクロック（４）と、
　リアルタイムクロック（４）によって計時された時刻がいずれかの制御プログラムの制御時刻となったときに該制御プログラムに設定された制御アドレスを有する監視データを生成するマイコン（２）と、マイコン（２）によって制御されマイコン（２）が生成した監視データを伝送ユニット（３０）に出力する伝送信号送受信回路（５）と、
　制御プログラムの内容を入力する操作入力を受け付けるプログラム入力手段を有する操作スイッチ部（１）と、
　操作スイッチ部（１）と伝送信号送受信回路（５）とをそれぞれ保持し操作スイッチ部（１）において操作されるキーマトリクスを前面に露出させ後面を造営面に向けて造営面に固定される器体（２０）とを備えるプログラムタイマユニット。」
　
Ｂ　原審の拒絶理由に引用された実願昭５９−３８４４号（実開昭６０−１１６７７３号）のマイクロフィルム（以下、「引用例２」という。）には、図面とともに以下の事項が記載されている。なお、平成２２年９月１０日付け拒絶理由には、特開昭６０−１１６７７３号公報と記載されているが、出願人は、同年１１月１５日付け意見書において、「特開」は、「実開」の誤記と認めて対応しているから、上記の様に取り扱う。
　
ト．「＜産業上の利用分野＞
　本考案は例えばテレビジョン受像機等の電子機器に使用される操作装置に関するものである。
＜従来技術＞
　従来より、テレビジョン受像機等では、その表面パネル上に配置される操作スイッチを削減し、デザインを単純化するとともに操作を容易にする傾向があり、各種調整ボリュームや操作スイッチを隠し扉内部に収納するようにした操作装置が一般に用いられている。これは、第１図に示すようにテレビジョン受像機１の表面パネル２の一部に凹部３を設け、この凹部３内部に各種調整ボリューム４や操作スイッチ５を配置し、この凹部３の開口面を開閉扉６により閉蓋し、これらを表面パネル２内部に隠すものであった。
　ところが、上記操作装置では、各種調整ボリューム及び操作スイッチの説明書７が開閉扉６の裏面に表記されているため、使用者が操作する際には第２図に示すように説明書７を読む視線ａから、調整ボリューム４を操作する際の視線ｂへ、視線の移動が大きく、また説明書７を読むためには、高い位置から覗き込む必要があり、操作性が悪いものであった。また、テレビ画面の光が反射して見えにくい欠点もあった。
＜目的＞
　本考案は、上記欠点を除去するものであり、従来の開閉扉に傾斜面を設け、説明書を読み易くし操作性を向上させた操作装置を提供するものである。
＜実施例＞
　以下、本考案の一実施例を図面に従って説明すると、第３図においてテレビジョン受像機の表面パネル８には一部に凹部９が設けられ、凹部９内部には比較的使用頻度の低い調整ボリューム１０や操作スイッチ１１が配設されている。そして凹部９の開口面には開閉自在に断面が三角形状の開閉扉１２を設け、この内面傾斜面１２ａに各種調整ボリューム１０や操作スイッチ１１の説明書１３を表記するものである。
　したがって、この操作装置を使用する際には、使用者は第４図に示すように説明書１３を読む視線ａから、調整ボリューム１０を操作する際の視線ｂへの視線の移動が小さく、また斜面上に表記するため覗き込む必要もないことから説明が読み易く、操作が簡単になるものである。」（１頁１２行〜３頁１６行）
　
　上記引用例２の記載及び図面ならびにこの分野における技術常識を考慮すると、上記摘記事項ト．における「本考案は例えばテレビジョン受像機等の電子機器に使用される操作装置に関するものである。」との記載、「第３図においてテレビジョン受像機の表面パネル８には一部に凹部９が設けられ、凹部９内部には比較的使用頻度の低い調整ボリューム１０や操作スイッチ１１が配設されている。そして凹部９の開口面には開閉自在に断面が三角形状の開閉扉１２を設け、この内面傾斜面１２ａに各種調整ボリューム１０や操作スイッチ１１の説明書１３を表記するものである。」との記載、第３図及び第４図によれば、操作装置は、各種調整ボリューム（１０）や操作スイッチ（１１）を覆う閉位置と、閉位置における上端部を下端部に対して右方向から見て反時計回りに回動させて各種調整ボリューム（１０）や操作スイッチ（１１）を露出させる開位置との間で、表面パネル（８）に対して回動自在に取り付けられた開閉扉（１２）を備えている。また、開閉扉（１２）には、閉位置で各種調整ボリューム（１０）や操作スイッチ（１１）に向けられる内面斜面（１２ａ）には、各種調整ボリューム（１０）や操作スイッチ（１１）の説明書（１３）が表記されていることが読み取れる。
　
　したがって、引用例２には以下の発明（以下、「引用発明２」という。）が記載されている。
　
　「各種調整ボリューム（１０）や操作スイッチ（１１）を覆う閉位置と、閉位置における上端部を下端部に対して右方向から見て反時計回りに回動させて各種調整ボリューム（１０）や操作スイッチ（１１）を露出させる開位置との間で、表面パネル（８）に対して回動自在に取り付けられた開閉扉（１２）を備え、開閉扉（１２）において、閉位置で各種調整ボリューム（１０）や操作スイッチ（１１）に向けられる内面斜面（１２ａ）には、各種調整ボリューム（１０）や操作スイッチ（１１）の説明書（１３）が表記されている操作装置。」
　
第４　対比
　本願発明と引用発明１とを対比する。
ａ．引用発明１の「制御端末器（３２）」、「スイッチ（Ｓａ，Ｓｂ）」、「操作端末器（３１）」、「制御データ（ＣＤ）」、「伝送ユニット（３０）」、「メモリ（３）」、「リアルタイムクロック（４）」、「マイコン（２）」、「操作スイッチ部（１）」、「キーマトリクス」、及び「器体（２０）」は、本願発明の「負荷側端末器」、「トリガ手段」、「制御側端末器」、「制御信号」、「伝送制御装置」、「プログラム記憶部」、「計時手段」、「制御部」、「設定入力部」、「ハンドル」、及び「ハウジング」にそれぞれ相当する。
ｂ．引用発明１の「監視データ」は、負荷を制御（操作）する信号であるから、「操作信号」ということができる。
ｃ．引用発明１の「プログラムタイマユニット」は、タイマスイッチの一種である。
　
　したがって、本願発明と引用発明１は、以下の点で一致ないし相違する。
　
＜一致点＞
　「それぞれアドレスを付された少なくとも１個の負荷が接続された少なくとも１個の負荷側端末器と、それぞれアドレスを有した少なくとも１個のトリガ手段を有し該トリガ手段に応じた操作信号を出力する少なくとも１個の制御側端末器と、各負荷側端末器と各制御側端末器とにそれぞれ接続され、いずれかの制御側端末器から操作信号を入力されたときに、トリガ手段に予め対応付けられた負荷が接続された負荷側端末器に対し、該負荷の制御を指示する制御信号を出力する伝送制御装置とを備え、負荷側端末器は伝送制御装置から入力された制御信号に応じて負荷を制御する遠隔監視制御システムに用いられるタイムスイッチであって、
　それぞれ制御時刻と制御アドレスとを含む制御プログラムが少なくとも１個格納されたプログラム記憶部と、
　時刻を計時する計時手段と、
　計時手段によって計時された時刻がいずれかの制御プログラムの制御時刻となったときに該制御プログラムに設定された制御アドレスを有する操作信号を生成する制御部と、制御部によって制御され制御部が生成した操作信号を伝送制御装置に出力する送信部と、
　制御プログラムの内容を入力する操作入力を受け付けるプログラム入力手段を有する設定入力部と、
　設定入力部と送信部とをそれぞれ保持し設定入力部において操作されるハンドルを前面に露出させ後面を造営面に向けて造営面に固定されるハウジングとを備えるタイムスイッチ。」
　
＜相違点１＞
　制御側端末器の「アドレスを有した少なくとも１個のトリガ手段」に関し、
　本願発明は、「所定の条件でトリガを生成する」ものであるのに対し、引用発明１は、その様な特定がない点。
　
＜相違点２＞
　「トリガ手段に応じた操作信号を出力する」条件に関し、
　本願発明は、「いずれかのトリガ手段がトリガを生成したときに」であるのに対し、引用発明１は、その様な特定がない点。
　
＜相違点３＞
　「トリガ手段に予め対応付けられた負荷が接続された負荷側端末器」に関し、
　本願発明は、「トリガを生成したトリガ手段」であるのに対し、引用発明１は、その様な特定がない点。
　
＜相違点４＞
　本願発明は、「操作入力に応じてトリガを生成する負荷操作用トリガ手段を少なくとも１個有する負荷操作部」を備えているのに対し、引用発明１は、その様な構成を備えていない点。
　
＜相違点５＞
　「制御部」に関し、
　本願発明は、「負荷操作用トリガ手段がトリガを生成したときに操作信号を生成する」のに対し、引用発明１は、その様な構成を備えていない点。
　
＜相違点６＞
　「制御部」が生成する「操作信号」に関し、
　本願発明は、「トリガ手段がトリガを生成したときと同様の」ものであるのに対し、引用発明１は、その様な特定がない点。
　
＜相違点７＞
　「ハウジング」が保持する対象に関し、
　本願発明は、「負荷操作部」を保持しているのに対し、引用発明１は、その様な構成を備えていない点。
　
＜相違点８＞
　「ハウジング」が前面に露出させる対象に関し、
　本願発明は、「負荷操作部において操作されるハンドルと設定入力部において操作されるハンドルとをそれぞれ前面に露出させ」るのに対し、引用発明１は、「操作スイッチ部（１）（設定入力部）において操作されるキーマトリクス（ハンドル）を前面に露出させ」る点。
　
＜相違点９＞
　本願発明は、「少なくとも設定入力部のハンドルを覆う閉位置と、閉位置における上端部を下端部に対して造営面に向かって右方から見て反時計回りに回動させて設定入力部のハンドルを露出させる開位置との間で、ハウジングに対して回動自在に取り付けられた扉体」を備えているのに対し、引用発明１は、その様な構成を備えていない点。
　
＜相違点１０＞
　本願発明は、「扉体において閉位置で設定入力部のハンドルに向けられる内面には、設定入力部の操作方法の説明が表示されて」いるのに対し、引用発明１は、その様な構成を備えていない点。
　
＜相違点１１＞
　本願発明は、「閉位置から開位置に向かう方向の扉体の回動を、扉の内面が下方に向かって前方へ傾斜する位置までに制限する制限手段が、扉体とハウジングとの少なくとも一方に設けられて」いるのに対し、引用発明１は、その様な構成を備えていない点。
　
＜相違点１２＞
　本願発明は、「ハウジングは、設定入力部の前面を構成する設定入力側化粧カバーを有し、この設定入力側化粧カバーの前面には銘板が貼着されて」いるのに対し、引用発明１は、その様な構成を備えていない点。
　
＜相違点１３＞
　本願発明は、「扉体の左右の端面は設定入力側化粧カバーの左右の端面と略面一になり、扉体が閉位置にある状態では、扉体の前面は上記の銘板の前面に略面一となる」のに対し、引用発明１は、その様な構成を備えていない点。
　
第５　判断
　そこで、上記相違点１について検討する。
　上記引用例１の上記摘記事項イ．の【０００２】における「操作端末器３１として、個別スイッチ３１ａ、パターンスイッチ３１ｂが設けられる。・・・（中略）・・・個別スイッチ３１ａとパターンスイッチ３１ｂとはそれぞれ監視入力を発生させるスイッチＳａ，Ｓｂを備え、制御端末器３２は負荷（図示例では照明負荷Ｌ）を制御するリレーを内蔵する。」との記載、【０００８】、【０００９】の記載によれば、スイッチ（Ｓａ，Ｓｂ）は、所定の条件でトリガ（ある制御のきっかけ）を生成するトリガ手段であることは明らかであるから、引用発明１の「スイッチ（Ｓａ，Ｓｂ）」（トリガ手段）を、本願発明のように「所定の条件でトリガを生成する」ものということができることは当然である。
　
　次に、上記相違点２について検討する。
　引用発明１は、「アドレスを有したスイッチ（Ｓａ，Ｓｂ）を有し該スイッチ（Ｓａ，Ｓｂ）に応じた操作信号を出力する」ところ、上記相違点１についての検討を踏まえれば、スイッチ（Ｓａ，Ｓｂ）（トリガ手段）は、所定の条件でトリガを生成するものといえ、トリガを起因として、操作信号が出力されるから、引用発明１の「操作信号」は、本願発明のように「いずれかのトリガ手段がトリガを生成したときに」出力することは当然である。
　
　次に、上記相違点３について検討する。
　上記相違点２についての検討を踏まえれば、引用発明１は、操作信号は、スイッチ（Ｓａ，Ｓｂ）（トリガ手段）がトリガを生成したときに出力され、伝送ユニット（伝送制御装置）が該操作信号によってスイッチ（Ｓａ，Ｓｂ）（トリガ手段）に対応付けられた負荷側端末器に負荷の制御を指示することになるから、引用発明１の「スイッチ（Ｓａ，Ｓｂ）」（トリガ手段）に予め対応付けられた負荷が接続された制御端末器（負荷側端末器）が、本願発明のように「トリガを生成したトリガ手段に予め対応付けられた負荷が接続された負荷側端末器」となることは当然である。
　
　次に、上記相違点４、５、７及び８について検討する。
　遠隔監視制御システムにおいて、操作入力に応じてトリガを生成する負荷操作用トリガ手段を有する負荷操作部を設けることは、例えば、特開平８−２５１６７５号公報（段落２１、２２、図１）、特開平５−１７６３６１号公報（段落１８、図２、３）に開示されているように周知であるから、引用発明１に周知技術を適用して、本願発明のように「操作入力に応じてトリガを生成する負荷操作用トリガ手段を少なくとも１個有する負荷操作部」を備えること（相違点４）、また、「制御部」に関し、引用発明１の「マイコン（２）」（制御部）が、本願発明のように「負荷操作用トリガ手段がトリガを生成したときに操作信号を生成する」ようにすること（相違点５）は当業者が容易に成し得ることである。また、その際、引用発明１の「器体（２０）」が、本願発明のように「負荷操作部」を保持するようにすること（相違点７）、また、「負荷操作部において操作されるハンドルと設定入力部において操作されるハンドルとをそれぞれ前面に露出させ」ること（相違点８）は当業者が適宜成し得ることである。
　
　次に、上記相違点６について検討する。
　上記引用例１の上記摘記事項ヘ．の【００８６】における「マイコン２はリアルタイムクロック４の計時時刻（現在時刻）がメモリ３から読み出した制御プログラムにおいて設定される時刻（入時刻や切時刻、日の入り時刻や日の出時刻等）に一致したときに逐次監視データ（例えば、制御対象の照明負荷Ｌを個別制御する個別スイッチＳａと同じチャンネル番号及び負荷番号）を発生し、その監視データを伝送信号送受信回路５より信号線Ｌｓに送出して伝送ユニット３０に伝送することで照明負荷Ｌのタイマ制御を行っている。」との記載によれば、監視データは、スイッチ（Ｓａ）がトリガを生成したときと同様であるから、引用発明１の「マイコン（２）」（制御部）が生成する「操作信号」に関し、本願発明のように「トリガ手段がトリガを生成したときと同様の」ものということができることは当然である。
　
　次に、上記相違点９及び１０について検討する。
　電気機器の設定入力部において、ハウジングに対して回動自在に取り付けられた扉体を設け、誤って操作されることがないようにすることは、一般的課題であるところ、引用発明１に引用発明２を適用して、本願発明のように「少なくとも設定入力部のハンドルを覆う閉位置と、閉位置における上端部を下端部に対して造営面に向かって右方から見て反時計回りに回動させて設定入力部のハンドルを露出させる開位置との間で、ハウジングに対して回動自在に取り付けられた扉体」を設け、「扉体において閉位置で設定入力部のハンドルに向けられる内面には、設定入力部の説明が表示されて」いるとすることは当業者が容易に成し得ることである。また、その際、引用発明２の「説明書（１３）」（説明）として、操作方法の説明とすることは当業者が必要に応じ適宜成し得ることである。
　
　次に、上記相違点１１について検討する。
　電気機器一般において、閉位置から開位置に向かう方向の扉体の回動を、扉の内面が下方に向かって前方へ傾斜する位置までに制限する制限手段を、扉体とハウジングとの少なくとも一方に設けることは、例えば、特開２００３−３１８５６４号公報（段落４２、図８）、特開平４−１７６０８１号公報（３頁右上欄２〜１１行、第１図）に開示されているように周知であるから、引用発明１に周知技術を適用して、本願発明のように「閉位置から開位置に向かう方向の扉体の回動を、扉の内面が下方に向かって前方へ傾斜する位置までに制限する制限手段が、扉体とハウジングとの少なくとも一方に設けられ」ることは当業者が容易に成し得ることである。
　
　次に、上記相違点１２について検討する。
　電気機器一般において、ハウジングは、設定入力部の前面を構成する設定入力側化粧カバーを有し、この設定入力側化粧カバーの前面には銘板が貼着されることは、例えば、特開２００５−１８３３１９号公報（段落４８、５７、図２、４、９）、特開平６−１４１３７号公報（段落１８、図３）に開示されるように周知であるから、引用発明１に周知技術を適用して、本願発明のように「ハウジングは、設定入力部の前面を構成する設定入力側化粧カバーを有し、この設定入力側化粧カバーの前面には銘板が貼着され」ることは当業者が容易に成し得ることである。
　
　次に、上記相違点１３について検討する。
　上記相違点１２についての検討を踏まえれば、電気機器一般において、扉体が閉位置にある状態では、扉体の前面を、化粧カバーの前面に略面一とすることは、例えば、原審の拒絶理由に引用された特開平７−６９３５９号公報（段落１４、図４）に開示されているように周知であるから、引用発明１に周知技術を適用して、本願発明のように「扉体が閉位置にある状態では、扉体の前面は上記の銘板の前面に略面一となる」ことは当業者が容易に成し得ることである。また、その際、器体（２）（ハウジング）の寸法及び見映えを考慮して、「扉体の左右の端面を設定入力側化粧カバーの左右の端面と略面一にする」ことは当業者が適宜成し得ることである。
　
　そして、本願発明の作用効果も、引用発明１、２及び周知技術から当業者が容易に予測できる範囲のものである。
　
第６　むすび
　以上のとおり、本願発明は、引用発明１、２及び周知技術に基いて当業者が容易に発明をすることができたものと認められるから、特許法第２９条第２項の規定により特許を受けることができない。
　
　よって、結論のとおり審決する。